(57)【要約】【課題】折りたたむことが出来ないために運搬や保管に大きなスペースを費やしていた本箱を、薄板で組み立てる構造を用いて、折りたためるようにして、運搬時のコスト低減と保管時のスペースの削減を図る。【解決手段】プラスチックや金属又は紙材などの薄板を使用し、上下板１，２と両横板３，４から成る薄板４枚を、又は、上下板１，２と両横板３，４から成る薄板４枚と仕切り板６数枚を、結合部が折れ曲がる状態で結合させ、背板５があたる上下板１，２と両横板３，４の背面側内側に背板５が差し込まれるような溝等の受けを設け、四角に立上げて背板５を差し込むことにより筐体の形が固定されるようにした。また、背板５の上部両端を切除してはめ込みやすくしたり、収納される本や書類の高さの制限を無くす為に，背板５と仕切り板６を一体化し上板１の奥行きを小さくした。【選択図】        図１
2005040152.tif 000002
【特許請求の範囲】
【請求項１】
プラスチックや金属または紙材などの薄板から構成され、上下板と両横板、または、上下板と両横板と仕切り板が一体化され、折りたたんだ状態から背板を取り付けることによって組み立てることの出来る本箱で、背板の上部両端を切除することにより、背板を曲げて両横板の溝に背板をはめ込みやすくし、かつ、上板に背板が接合するようにした折りたたみ式本箱。
【請求項２】
プラスチックや金属または紙材などの薄板から構成され、上下板と両横板、または、上下板と両横板と仕切り板が一体化され、折りたたんだ状態から背板を取り付けることによって組み立てることの出来る本箱で、上板と両横板の接合部に背面側から２ｃｍ程度の切り込みを入れて上板をめくり上げ、背板を両横板の溝または受けにはめ込みやすくし、はめ込んだ背板を上板につけた垂れのホックか粘着テープなどで固定する折りたたみ式本箱。
【請求項３】
プラスチックや金属または紙材などの薄板から構成され、上下板と両横板が一体化され、折りたたんだ状態から背板を取り付けることによって組み立てることの出来る本箱で、上板の奥行きを１ｃｍ前後に小さくし、かつ、背板と仕切り板を折りたためる状態で一体化し、立ち上げた上下板と両横板の四角い枠の背面側から背板と仕切り板を仕切り板が下板の仕切り板支え用の溝などの受けに挿入されるようにしながら挿入し、背板を両横板と下板につけた垂れのホックか粘着テープなどで固定する折りたたみ式本箱。
【請求項４】
プラスチックや金属または紙材などの薄板から構成され、上下板と両横板が一体化され、折りたたんだ状態から背板を取り付けることによって組み立てることの出来る本箱で、予め背板を上板か下板かどちらかの横板に折りたためる状態で結合しておき、組立て時に背板を背面側の背板の受けに押し当て仕切り板を仕切り板はめ込み溝や受けに挿入し筐体全体を固定する折りたたみ式本箱。
【発明の詳細な説明】
【０００１】
【発明が属する技術分野】
本発明は、一般家庭や事務所などさまざまなところで、本及び書類の収納に使われてきた本箱に関するものであり、これまで本箱と言えば木製やプラスチック製またはブックエンドのような金属製のものなどが作られてきた。技術としては木工技術やプラスチック成型技術または金属加工技術の分野に属して、本を挟み込む工夫や装飾などの工夫はされてきたが、本箱と言う一つの完成した固定した形で扱われて来た。従って、完成した本箱を取り扱う場合は筐体の大きさが気になるところであった。
【０００２】
【従来の技術】
従来、本箱には色々の工夫が施されてきた。木製の本箱から始まり可変式に収納スペースが伸びて本が挟めるものやブックエンドのように両側から挟むもの、又は絵柄をあしらったものや彫刻を施したものなど種々な本箱が作られてきた。だが、薄板を使用する工夫はブックエンドにのみあらわれ、本箱の持つ厚板感に変わりはなかった。その為、本箱の製品の輸送や保管には多くのスペースが必要となり、コストが高いという欠点があった。
【０００３】
【発明が解決しようとする課題】
本箱は、製作し販売する場合、一つの完成した固定した形としてそのまま流通ルートに乗ることが多かった。その為、筐体の大きさが取り扱い難く、流通コストも上がり、保管スペースも大きくなった。ブックエンドのように重ねて扱う場合でも、立体としての形になってしまい取り扱い難さは残った。また、筐体が大きいものはネジ止めによる組立て家具などの形で存在するが、筐体が小さいものはそのまま搬送されていた。その為、輸送コストが高くなったり、保管場所に事欠くと言った問題点があった。
【０００４】
【課題を解決するための手段】
本発明は、本箱をより安いコストで市場に提供するため、本箱の素材にプラスチックや金属または紙材などの薄板を使用し、上下板と両横板から成る薄板４枚を、結合部が折れ曲がる状態で結合させ、背板があたる背面側に背板が差し込まれるような溝などの受けを設け、上下板と両横板を四角に立上げて背面側から上部両端が切除された背板を曲げて両横板の溝などの受けに差し込み、次に背板を押下げて下板の溝などの受けに差し込み、最後に背板を上板の下に押し込む。または、上板と両横板の接合部に背面側から２ｃｍ程度の切り込みを入れて上板をめくり上げ、背板を両横板の受けに差し込み、押下げて下板の溝などの受けに差し込みんだ後、上板につけられた垂れのホックや粘着テープなどで上板と背板を固定するようにした。または、組立ての簡略化を図り予め背板を上板か下板かどちらかの横板に折りたためる状態で結合しておき、組立て時に背板を背面側の背板の受けに押し当て仕切り板を仕切り板はめ込み溝や受けに挿入し筐体全体を固定するようにした。
【０００５】
また、本箱に収納される本や書類の高さの制限を排除する方法も考慮して、上記薄板４枚からなる上下板と両横板の内、上板のみ奥行きを１ｃｍ前後に小さくし、かつ、背板と仕切り板を折りたためる状態で一体化し、立ち上げた上下板と両横板の四角い枠の背面側から背板と仕切り板を仕切り板が下板の仕切り板支え用の溝などの受けに挿入されるようにしながら挿入した後、背板を両横板と下板につけた垂れのホックや粘着テープなどで固定するようにした。また、仕切り板の左右振れ防止のための補強として仕切り板の下部に垂れを付けホックで下板と固定するか、仕切り板の下部を延長して折り曲げ粘着テープなどで下板に固定する方法も取った。
【０００６】
【発明の実施の形態】
本発明は、折りたたみの出来る本箱の発明であり、図面に基づいて説明すれば、プラスチックや金属または紙材などの薄板を使用し、上下板１，２と両横板３，４から成る薄板４枚を上板１と下板２、横板３，４同士がそれぞれ向かい合い四角い枠を形成するように上板１と左右横板３，４、下板２と左右横板３，４を折れ曲がる機能を持ちながら結合するように連結させる。製作方法としては、プラスチックの場合は金型か切削加工により連結部を板厚よりも薄くし折れやすくする。紙材の場合は、上下板１，２と両横板３，４から成る薄板４枚を連結した状態で切り取り、折れ線を入れ、糊代に接着材をつけて貼り合わせる。金属や板の場合は、上下板１，２と両横板３，４から成る薄板４枚を蝶番のような機構により結合する。また、折りたたみの状態の完全な平らさを求めない方法として上記連結体に背板も一緒に結合してしまう方法もある。
【０００７】
また、上下板１，２と両横板３，４から成る薄板４枚の背面側には、背板５を差し込むための溝や受けを設け、かつ、上下板１，２と背板５には一定の間隔に仕切り板６の板差し込み溝を設ける。また、上下板に仕切り板６差込用溝を設けずに、仕切り板６をあらかじめ上下板に折りたためる状態で接着して、組立て時背板のみ差し込めば組立て完了にすることも出来る。この本箱は、複数の異なるサイズの本箱同士を連結させても、折りたたみ機能に変わりはないため、サイズの大きい本や書類が収納できるように、異なるサイズの本箱同士を連結させることも出来る。その際、連結する横板２枚を横板１枚で兼用することも可能である。この本箱は、搬送時は折りたたんで平たい状態にして取り扱える。また、使用時は簡単に組み立てられる。使わなくなった時は、再び仕切り板６と背板５を引き抜いて平らに折りたためば狭いスペースにも保管できる。
【０００８】
【実施例】
以下に本発明の一実施例について説明する。本箱の材料には厚さ２ｍｍの厚紙を使用した。上下板と両横板から成る厚紙４枚と糊代から成る厚紙を連結した状態で切り取り、背板１枚と仕切り板３枚も切り取った。背板は上部の両端を上から２ｃｍ程度、端から５ｍｍ程度切除した。次に上下板と両横板から成る厚紙４枚と糊代から成る厚紙の上下板と両横板の背面側の端から５ｍｍのところと上下板の中央と左右等間隔のところに幅２ｍｍ深さ１ｍｍの溝を掘り、各板のそれぞれの境に折り目を入れた。また、背板の中央と左右の上下板の溝間隔と同間隔のところにも幅２ｍｍ深さ１ｍｍの溝を掘った。次に、糊代に接着剤を付けて溝のある側を内側にして横板と下板を接合固定した。その後、上下板と両横板から成る厚紙４枚を平らに折りたたんだ状態から立上げ、背板を曲げて両横板の溝にはめ込み、押下げて下板の溝にはめ込んだ後、背板を上板の下に押し込み、上板の溝に背板をはめ込んだ。次に仕切り板３枚をそれぞれの上下板の溝にはめ込んで背板の溝にも嵌るように押し込んだ。その結果、１個の本箱が完成した。本を入れても倒れないで十分本箱としての機能を発揮することを確認した。また、本箱の上に物を置いても若干の歪みは生じるが２０ｋｇ以上耐えられることを確認した。
【０００９】
本箱の大きさは、高さ３２ｃｍ、幅３６ｃｍ、奥行き２５ｃｍにした。本箱の上に物を置いた場合、５ｋｇまでは全く歪みがなく、１０ｋｇまででも仕切り板に歪みは生じたが歪みの程度は小さいものであり、２０ｋｇぐらいになって漸く歪みが大きくなったが、本箱の形状は保っていた。実験後は、本箱の仕切り板３枚を溝から抜き、背板を溝から押し外し、本箱を平らに折りたたむことができた。
【００１０】
【発明の効果】
以上説明したように本発明の本箱は、平たい状態から無理なくスムーズに組み立てられ、使用しない時は再度平らに折りたたんでしまって置くことも出来る。従って、この本箱を製品化し、輸送する場合でも、輸送スペースが小さくて済むため、輸送コストは削減でき、かつ、薄板を利用することで材料面でのコストダウンと設置スペースの削減が図れる。また、保管して置く場合にも保管スペースが小さくて済むため、必要に応じて、組み立てたり畳んだりして手軽に本箱を利用することが出来る。また、上板の奥行きが大きいものは上に物を上げられると言った利点が生じ、逆に上板の奥行きが極端に小さいものは収納できる本や書類のサイズの制限がなくなる。また、異なるサイズの本箱同士の連結が可能なため、図８や図９のようなよりデザイン性のある本箱の実現も可能である。
【図面の簡単な説明】
【図１】組み立てた状態の本箱の概略図である。
【図２】基本的な組み立て手順の概略図である。（実施例）
【図３】背板の差し込みが楽に出来るタイプの組み立て手順の概略図である。
【図４】仕切り板をあらかじめ上下板に接着したタイプの組み立て手順の概略図である。
【図５】収納する本や書類の高さ制限をなくしたタイプの組み立て手順の概略図である。
【図６】サイズの異なる本箱同士の結合例１。
【図７】サイズの異なる本箱同士の結合例２（上下板と仕切り板一体型）。
【図８】デザイン性のある本箱の例１。
【図９】デザイン性のある本箱の例２。
【符号の説明】
１    上板
２    下板
３    横板（左側）
４    横板（右側）
５    背板
６    仕切り板
７    溝
８    見出し
【図１】
2005040152.tif 000003
【図２】
2005040152.tif 000004
【図３】
2005040152.tif 000005
【図４】
2005040152.tif 000006
【図５】
2005040152.tif 000007
【図６】
2005040152.tif 000008
【図７】
2005040152.tif 000009
【図８】
2005040152.tif 000010
【図９】
2005040152.tif 000011